(57)【特許請求の範囲】
【請求項１】
コンピュータに、時代情報と関連付けた当該時代の地理情報である時代別地理情報を記憶させ、
少なくとも、路線情報、駅情報、時刻表情報を有する鉄道施設情報であって、この鉄道施設情報を、時代情報と関連付けられた当該時代の前記鉄道施設情報である時代別鉄道施設情報として記憶させ、
前記時代別地理情報を前記時代別鉄道施設情報と関連付けて記憶させ、
前記時代別地理情報に含まれる特定地域情報の画像情報である特定地域画像情報を前記時代別地理情報の前記特定地域情報と関連付けて記憶させ、
前記時代別鉄道施設情報に含まれる前記駅情報の画像情報である駅画像情報を前記時代別鉄道施設情報の前記駅情報と関連付けて記憶させ、
前記時代情報が特定されることで表示部に示された少なくとも前記時代別地理情報の前記特定地域情報及び／又は前記時代別鉄道施設情報の前記駅情報に基づき、旅行日程情報を生成すると共に、当該旅行日程情報に関連する前記特定地域画像情報及び／又は前記駅画像情報を表示部に表示する工程を、を実行させ、
前記旅行日程情報は、使用者が、前記時代情報を特定することで前記表示部に示された前記時代別地理情報に基づき、使用者が特定した前記特定地域情報に基づいて、少なくとも前記特定地域画像情報を表示し、また、使用者が特定した前記駅情報に基づいて、少なくとも当該駅情報の前記駅画像情報及び当該駅情報に関連する前記時刻表情報を表示する工程を経ることで生成される構成となっていることを特徴とする疑似旅行体験プログラム。
【請求項２】
前記旅行日程情報は、予め定められた既定の旅行日程情報である既定旅行日程情報を含み、使用者により選択された前記時代情報、当該既定旅行日程情報及び当該前記時代別地理情報に基づいて前記旅行日程情報が生成される工程を含むことを特徴とする請求項１に記載の疑似旅行体験プログラム。
【請求項３】
前記駅情報を前記表示部に表示させる際に、当該駅の駅弁情報を併せて表示させる工程を含むことを特徴とする請求項１又は請求項２に記載の疑似旅行体験プログラム。
【請求項４】
使用者自身の画像情報である使用者画像情報を有し、前記特定地域画像情報及び／又は前記駅画像情報を合成して記念写真情報を生成する工程を含むことを特徴とする請求項１乃至請求項３のいずれか１項に記載の疑似旅行体験プログラム。
【請求項５】
前記時代別地理情報に含まれる前記特定地域情報と関連付けて登録される時代人物情報の画像情報を有し、当該前記特定地域画像情報及び／又は前記駅画像情報を合成して登場人物付記念写真情報を生成する工程を含むことを特徴とする請求項４に記載の疑似旅行体験プログラム。
【請求項６】
時代情報と関連付けた当該時代の地理情報である時代別地理情報を有し、
少なくとも、路線情報、駅情報、時刻表情報を有する鉄道施設情報であって、この鉄道施設情報を、時代情報と関連付けられた当該時代の前記鉄道施設情報である時代別鉄道施設情報として記憶させ、
前記時代別地理情報を前記時代別鉄道施設情報と関連付けて記憶させ、
前記時代別地理情報に含まれる特定地域情報の画像情報である特定地域画像情報を前記時代別地理情報の前記特定地域情報と関連付けて記憶させ、
前記時代別鉄道施設情報に含まれる前記駅情報の画像情報である駅画像情報を前記時代別鉄道施設情報の前記駅情報と関連付けて記憶させ、
前記時代情報が特定されることで表示部に示された少なくとも前記時代別地理情報の前記特定地域情報及び／又は前記時代別鉄道施設情報の前記駅情報に基づき、旅行日程情報を生成すると共に、当該旅行日程情報に関連する前記特定地域画像情報及び／又は前記駅画像情報を表部に表示する構成となっており、
前記旅行日程情報は、予め定められた既定の旅行日程情報である既定旅行日程情報を含み、使用者により選択された前記時代情報、当該既定旅行日程情報及び当該前記時代別地理情報に基づいて前記旅行日程情報が生成されることを特徴とする疑似旅行体験装置。
【発明の詳細な説明】
【技術分野】
【０００１】
本発明は、例えば、過去等における疑似旅行の体験が可能となる疑似旅行体験プログラム及び疑似旅行体験装置に関するものである。
【背景技術】
【０００２】
従来より、実際に旅行をするのではなく、コンピュータ上で疑似的に旅行を体験させるシステムが提案されている（例えば、特許文献１）。
【先行技術文献】
【特許文献】
【０００３】
【特許文献１】特開２００８―１５８３２公報
【発明の概要】
【発明が解決しようとする課題】
【０００４】
しかし、これらの旅行はあくまで現在、若しくは現在と極めて近接した時期における旅行を対象とするものであり、現在ではない過去等における旅行等を疑似体験することはできなかった。
【０００５】
そこで、本発明は、現在のみならず過去等における旅行等も容易に疑似体験をすることができる疑似旅行体験プログラム及び疑似旅行体験装置を提供することを目的とする。
【０００６】
上記目的は、本発明にあっては、コンピュータに、時代情報と関連付けた当該時代の地理情報である時代別地理情報を記憶させ、少なくとも、路線情報、駅情報、時刻表情報を有する鉄道施設情報であって、この鉄道施設情報を、時代情報と関連付けられた当該時代の前記鉄道施設情報である時代別鉄道施設情報として記憶させ、前記時代別地理情報を前記時代別鉄道施設情報と関連付けて記憶させ、前記時代別地理情報に含まれる特定地域情報の画像情報である特定地域画像情報を前記時代別地理情報の前記特定地域情報と関連付けて記憶させ、前記時代別鉄道施設情報に含まれる前記駅情報の画像情報である駅画像情報を前記時代別鉄道施設情報の前記駅情報と関連付けて記憶させ、前記時代情報が特定されることで表示部に示された少なくとも前記時代別地理情報の前記特定地域情報及び／又は前記時代別鉄道施設情報の前記駅情報に基づき、旅行日程情報を生成すると共に、当該旅行日程情報に関連する前記特定地域画像情報及び／又は前記駅画像情報を表示部に表示する工程を、を実行させ、前記旅行日程情報は、使用者が、前記時代情報を特定することで前記表示部に示された前記時代別地理情報に基づき、使用者が特定した前記特定地域情報に基づいて、少なくとも前記特定地域画像情報を表示し、また、使用者が特定した前記駅情報に基づいて、少なくとも当該駅情報の前記駅画像情報及び当該駅情報に関連する前記時刻表情報を表示する工程を経ることで生成される構成となっていることを特徴とする疑似旅行体験プログラムにより達成される。
【０００７】
前記構成によれば、時代情報が特定されることで表示部に示された少なくとも時代別地理情報の特定地域情報及び／又は時代別鉄道施設情報の駅情報に基づき、旅行日程情報を生成する。
したがって、例えば、使用者が選択等した過去の特定時期における疑似旅行の旅行日程情報を表示部に自由に表示させ、旅行日程情報を生成し、かつ、当該旅行を疑似体験することができる。
また、前記構成では、当該旅行日程情報に関連する特定地域画像情報及び／又は駅画像情報を表示部に表示する。
このため，使用者は、旅行先の地域の景色等である特定地域画像情報や降車等した駅の画像等の駅画像情報を併せて表示部に表示することができるので、旅行がより現実的に感じられる。
【０００９】
前記構成によれば、旅行日程情報は、使用者が、時代情報を特定することで表示部に示された時代別地理情報に基づき、使用者が特定した特定地域情報に基づいて、少なくとも特定地域画像情報を表示し、また、使用者が特定した駅情報に基づいて、少なくとも当該駅情報の駅画像情報及び当該駅情報に関連する時刻表情報を表示する工程を経ることで生成される。
したがって、使用者は、時代別地理情報、特定地域画像情報、駅画像情報及時刻表情報等を表示部で視認しながら、自己が希望する時代の疑似旅行の旅行日程を容易に生成することができる。
【００１０】
好ましくは、前記旅行日程情報は、予め定められた既定の旅行日程情報である既定旅行日程情報を含み、使用者により選択された前記時代情報、当該既定旅行日程情報及び当該前記時代別地理情報に基づいて前記旅行日程情報が生成される工程を含むことを特徴とする。
【００１１】
前記構成によれば、旅行日程情報は、予め定められた既定の旅行日程情報である既定旅行日程情報を含み、使用者により選択された時代情報、当該既定旅行日程情報及び当該時代別地理情報に基づいて旅行日程情報が生成される。
したがって、使用者は、例えば、奥の細道ルート等の規定旅行日程情報を用いることで、より容易に，自己が希望する時代の疑似旅行（奥の細道のルートを辿る旅行等）を生成することができる。
【００１２】
好ましくは、前記駅情報を前記表示部に表示させる際に、当該駅の駅弁情報を併せて表示させる工程を含むことを特徴とする。
【００１３】
前記構成によれば、駅情報を表示部に表示させる際に、当該駅の駅弁情報も併せて表示される。
したがって、使用者の疑似旅行をより楽しく、より現実的な旅行とすることができる。
【００１４】
好ましくは、使用者自身の画像情報である使用者画像情報を有し、前記特定地域画像情報及び／又は前記駅画像情報を合成して記念写真情報を生成する工程を含むことを特徴とする。
【００１５】
前記構成によれば、使用者自身の画像情報である使用者画像情報を有し、特定地域画像情報及び／又は駅画像情報を合成して記念写真情報を生成する工程を含む。
したがって、使用者が実際に旅行をしてきたと同様の記念写真を取得することができ、疑似旅行をより現実的、かつ楽しいものとすることができる。
【００１６】
好ましくは、前記時代別地理情報に含まれる前記特定地域情報と関連付けて登録される時代人物情報の画像情報を有し、当該前記特定地域画像情報及び／又は前記駅画像情報を合成して登場人物付記念写真情報を生成する工程を含むことを特徴とする。
【００１７】
前記構成によれば、時代別地理情報に含まれる特定地域情報と関連付けて登録される時代人物情報の画像情報を有し、当該特定地域画像情報及び／又は駅画像情報を合成して登場人物付記念写真情報を生成する工程を含む。
したがって、当該時代の人物等と共に記念写真等を撮影できので、疑似旅行がより現実的で楽しいものとなる。
【００１８】
前記目的は、本発明によれば、時代情報と関連付けた当該時代の地理情報である時代別地理情報を有し、少なくとも、路線情報、駅情報、時刻表情報を有する鉄道施設情報であって、この鉄道施設情報を、時代情報と関連付けられた当該時代の前記鉄道施設情報である時代別鉄道施設情報として記憶させ、前記時代別地理情報を前記時代別鉄道施設情報と関連付けて記憶させ、前記時代別地理情報に含まれる特定地域情報の画像情報である特定地域画像情報を前記時代別地理情報の前記特定地域情報と関連付けて記憶させ、前記時代別鉄道施設情報に含まれる前記駅情報の画像情報である駅画像情報を前記時代別鉄道施設情報の前記駅情報と関連付けて記憶させ、前記時代情報が特定されることで表示部に示された少なくとも前記時代別地理情報の前記特定地域情報及び／又は前記時代別鉄道施設情報の前記駅情報に基づき、旅行日程情報を生成すると共に、当該旅行日程情報に関連する前記特定地域画像情報及び／又は前記駅画像情報を表部に表示する構成となっており、
前記旅行日程情報は、予め定められた既定の旅行日程情報である既定旅行日程情報を含み、使用者により選択された前記時代情報、当該既定旅行日程情報及び当該前記時代別地理情報に基づいて前記旅行日程情報が生成されることを特徴とする疑似旅行体験装置により達成される。
【発明の効果】
【００２０】
以上説明したように、本発明によれば、現在のみならず過去等における旅行等も容易に疑似体験をすることができる疑似旅行体験プログラム及び疑似旅行体験装置を提供することを目的とする。
【図面の簡単な説明】
【００２１】
【図１】本発明の疑似旅行体験プログラムをインストールした疑似旅行体験装置の主な構成等を示す概略ブロックである。
【図２】第１の情報記憶部の内容を示す概略ブロック図である。
【図３】第２の情報記憶部の内容を示す概略ブロック図である。
【図４】第３の情報記憶部の内容を示す概略ブロック図である。
【図５】第４の情報記憶部の内容を示す概略ブロック図である。
【図６】疑似旅行体験装置を用いて「旅行日程表」を作成する旅行日程作成工程を示す概略フローチャートである。
【図７】疑似旅行体験装置を用いて「旅行日程表」を作成する旅行日程作成工程を示す概略フローチャートである。
【図８】疑似旅行体験装置の動作等を示す概略フローチャートである。
【図９】疑似旅行体験装置の動作等を示す他の概略フローチャートである。
【図１０】疑似旅行体験装置の動作等を示す他の概略フローチャートである。
【図１１】疑似旅行体験装置の動作等を示す他の概略フローチャートである。
【図１２】疑似旅行体験装置の動作等を示す他の概略フローチャートである。
【図１３】疑似旅行体験装置の動作等を示す他の概略フローチャートである。
【図１４】疑似旅行体験装置の動作等を示す他の概略フローチャートである。
【図１５】疑似旅行体験装置の動作等を示す他の概略フローチャートである。
【発明を実施するための形態】
【００２２】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２３】
図１は、本発明の疑似旅行体験プログラムをインストールした疑似旅行体験装置１０の主な構成等を示す概略ブロックである。
図１に示すように、疑似旅行体験装置１０は、コンピュータ等であり、キーボード等の情報入力装置１２及び表示部である例えば、ディスプレイ１１を備えている。
このため、利用者がディスプレイ１１の情報を視認しながら、情報入力装置１２で、所定の情報を入力することにより、所望の時代、例えば、過去等における疑似旅行を体験することが可能な構成となっている。その内容については、後述する。
【００２４】
図１に示す疑似旅行体験装置１０は、コンピュータであり、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）やハードディスク等を有し、バスを介して接続されている。
【００２５】
また、図１に示すように、疑似旅行体験装置１０は、制御部１３を有し、制御部１３は、ディスプレイ１１や情報入力装置１２を制御する他、第１の情報記憶部１５、第２の情報記憶部２０、第３の情報記憶部４０及び第４の情報記憶部６０の各情報記憶部や情報処理部等を制御する。
図２，図３、図４及び図５は、それぞれ、第１の情報記憶部１５、第２の情報記憶部２０、第３の情報記憶部４０及び第４の情報記憶部６０の内容を示す概略ブロック図である。これらの内容については、後述する。
【００２６】
図６乃至図１５は、疑似旅行体験装置１０の動作等を示す概略フローチャートである。以下、これらフローチャートに沿って、その動作等を説明すると共に、図１乃至図４の構成についても併せて説明する。
【００２７】
図６及び図７は、疑似旅行体験装置１０を用いて「旅行日程表」を作成する旅行日程作成工程を示す概略フローチャートである。
本工程では、疑似旅行体験を行う前に、その「旅行日程表」のみを作成する工程となる。
先ず、ステップＳＴ（以下「ＳＴ」とする）１０１では、疑似旅行体験装置１０が、利用者によって「旅行日程表作成」が選択されたか否かが判断される。
具体的には、利用者が疑似旅行体験装置１０のディスプレイ１１を参照し、情報入力装置１２を操作して選択する。
【００２８】
ＳＴ１０１で、「旅行日程作成」が選択されたと判断されたときは、ＳＴ１０２へ進む。ＳＴ１０２では、「旅行日程表作成部（プログラム）１６」が動作して、「ディスプレイ１１」に、「旅行日程表作成用地図情報記憶部１７」に記憶されている「旅行日程表作成用地図情報」を表示され、併せて、「出発点及び出発時刻を指定してください」と表示する。
この「旅行日程表作成用地図情報」には、例えば、日本地図情報に、道路、鉄道等の交通機関情報等が付加されている地図情報となる。
したがって、利用者は、ディスプレイ１１に表示された「旅行日程表作成用地図情報」を視認しながら、「情報入力装置１２」を操作しながら「出発点及び出発時刻」を特定することとなる。
【００２９】
次いで、ＳＴ１０３へ進む。ＳＴ１０３では、出発点及び出発時刻が入力されたか否かを判断する。
ＳＴ１０３で、出発点及び出発時刻が入力されたと判断したときは、ＳＴ１０４へ進む。ＳＴ１０４では、ＳＴ１０２で入力された「旅行日程表作成用地図情報」の「出発点情報」に鉄道の駅等の交通機関が存在するか否かを判断する。
【００３０】
ＳＴ１０４で、「出発点情報」に、鉄道の駅等の交通機関が存在すると判断されたときは、ＳＴ１０５へ進む。ＳＴ１０５では、利用者によって特定された交通機関である鉄道の駅等の特定された出発時間情報に対応する「時刻表情報」を、図５の「現在時刻表情報記憶部１８」から取得して、ディスプレイ１１に表示する。
【００３１】
次いで、ＳＴ１０６へ進む。ＳＴ１０６では、ディスプレイ１１に「目的地及び移動手段を特定してください。」と表示される。
ここで、利用者は、出発点の時刻表情報を参照しながら、「旅行日程表作成用地図情報」で「目的地」及び目的地までの「移動手段（例えば、鉄道等）」を特定する。
次いで、ＳＴ１０７へ進む。ＳＴ１０７では、目的地及び移動手段は特定されたか否かを判断する。
【００３２】
ＳＴ１０７で、目的地及び移動手段は特定された否かを判断し、特定されたときは、ＳＴ１０８へ進む。ＳＴ１０８では、ＳＴ１０６で入力された「旅行日程表作成用地図情報」の「目的地情報」に鉄道の駅等の交通機関が存在するか否かを判断する。
【００３３】
ＳＴ１０８で、「目的地情報」に、鉄道の駅等の交通機関が存在すると判断されたときは、ＳＴ１０９へ進む。ＳＴ１０９では、利用者によって特定された目的地の鉄道等の交通機関の到着時刻情報に対応する「時刻表情報」を、図５の「現在時刻表情報記憶部１８」から取得して、ディスプレイ１１に表示する。
【００３４】
次いで、ＳＴ１１０へ進む。ＳＴ１１０では、「ディスプレイ１１」に「「次の目的地及び移動手段を特定してください。」と表示される。
ここで、利用者は、目的地の時刻表情報を参照しながら、「旅行日程表作成用地図情報」で「次の目的地」及び目的地までの「移動手段（例えば、鉄道等）」を特定する。
次いで、ＳＴ１１１へ進む。ＳＴ１１１では、次の目的地及び移動手段（例えば、鉄道等）は特定されたか否かを判断する。
【００３５】
ＳＴ１１１で、次の目的地及び移動手段（例えば、鉄道等）が特定されたときは、ＳＴ１１２へ進み、ＳＴ１１０で入力された「旅行日程表作成用地図情報」の「次の目的地情報」に鉄道の駅等の交通機関が存在するか否かを判断する。
ＳＴ１１２で、「次の目的地情報」に鉄道の駅等の交通機関が存在する場合は、ＳＴ１０９へ戻り同じ工程繰り返し、次の目的地が特定されなくなるまで継続する。
【００３６】
一方、ＳＴ１１１で、次の目的地が特定されなくなったときは、図７のＳＴ１１３へ進む。ＳＴ１１３では、本工程で利用者によって特定された出発点等の情報を「旅行日程表情報」として、図２の「個別旅行日程表記憶部１９」に記憶する。
【００３７】
このように、本実施の形態では、後述する「疑似旅行体験」をする前に、「旅行日程表」作成することができ、この「旅行日程表」は、図２の「個別旅行日程表記憶部１９」に記憶されている。したがって、この「旅行日程表」は、「疑似旅行体験」に用いられる場合の他、利用者が実際に旅行をする場合にも利用することができ、極めて便利に使用することができる。
【００３８】
次いで、図８乃至図１５を用いて、図１の疑似旅行体験装置１０を利用した「疑似旅行」について説明する。
先ず，疑似旅行体験を望む利用者は，図１の疑似旅行体験装置１０を起動させる。
すると、図８のＳＴ１で、ディスプレイ１１に、図２の「選択可能時期情報記憶部２１」内に記憶されている時代情報である例えば、選択可能な時期（１８６０年１０月３１日、１８８０年１０月３１日、１９００年１０月３１日、１９３０年１０月３１日、１９５０年１０月３１日、１９６４年１０月３１日、１９８７年１０月３１日等）を表示する。
【００３９】
なお、図３の「選択可能時期情報記憶部２１」には、１８６０年１０月３０日（幕末、鉄道路線情報なし）、１８８０年１０月３１日（明治初期、鉄道路線詳細情報付き）、１９００年１０月３１日（大正初期、鉄道路線詳細情報付き）、１９３０年１０月３１日（昭和初期、鉄道路線詳細情報付き）、１９５０年１０月３１日（戦後、鉄道路線詳細情報付き）、１９６４年１０月３１日（東京オリンピック、
鉄道路線詳細情報付き）、１９８７年１０月３１日（バブル期、鉄道路線詳細情報付き）等の情報が記憶されている。
【００４０】
次いで、ＳＴ２へ進む。ＳＴ２では、利用者が図１の「情報入力装置１２」を操作して、いずれかの時期を選択したか否かを判断する。
ＳＴ２で、いずれかの時期を選択したと判断したときは、ＳＴ３へ進む。
ＳＴ３では、図３の「時期別地図情報記憶部２２」内の「時期別地図情報」のうち、選択された時期の対応する「時期別地図情報」、例えば、１９６４年１０月３１日の日本地図（鉄道路線詳細情報付き）がディスプレイ１１に表示される。
したがって、「時期別地図情報」が、「時期別地理情報」の一例となっている。
【００４１】
なお、図３の「時期別地図情報記憶部２２」には、時代毎の日本の地図データ、例えば、１８６０年１０月３１日（幕末、鉄道路線情報なし）、１８８０年１０月３１日（明治初期、鉄道路線詳細情報付き）、１９００年１０月３１日（大正初期、鉄道路線詳細情報付き）、１９３０年１０月３１日（昭和初期、鉄道路線詳細情報付き）、１９５０年１０月３１日（戦後、鉄道路線詳細情報付き）、１９６４年１０月３１日（東京オリンピック、
鉄道路線詳細情報付き）、１９８７年１０月３１日（バブル期、鉄道路線詳細情報付き）等が記憶されている。
【００４２】
次いで、ＳＴ４へ進む。ＳＴ４では、ディスプレイ１１に、「旅行日程作成用の既定旅行日程情報（例えば、奥の細道ルート等）」を選択するか否かが表示される。
すなわち、利用者が自ら旅行日程を作成するのではなく、予め定められた既定旅行日程、例えば、奥の細道のルートを、１９６４年１０月３１日の日本地図に当てはめ、旅行日程を自動作成することを望むか否かが表示される。
この予め定められた既定旅行日程は、複数種類あり、図２の「既定旅行日程情報記憶部２３」に記憶されている。これらの「既定旅行日程情報」がディスプレイ１１に表示される。
また、この「既定旅行日程情報」には,図２の「個別旅行日程情報記憶部１９」に記憶されている上述の「旅行日程表」の情報も含まれるため、利用者は、「規定旅行日程」として自己が事前に作成した「旅行日程表」を選択することもできる。
【００４３】
次いで、ＳＴ５で、これらのいずれかの既定旅行日程が選択されると、ＳＴ６へ進む。例えば、「奥の細道ルート」を選択する。
ＳＴ６では、図３の「旅行予定日程情報作成部（プログラム）２４」が動作し、「時期別地図情報（１９６４年１０月３１日）」と「既定旅行工程情報（奥の細道ルート）」に基づいて、旅行予定日程情報を作成し、「旅行予定日程情報記憶部２５」に記憶させる。例えば、奥の細道における芭蕉の旅の一部と同様の日程を当該時期（１９６４年１０月３１日）の地図に適用し、旅行日程を生成する。そして、この旅行日程を「旅行予定日程情報記憶部２５」に記憶させる。
なお、この旅行日程は鉄道を利用する場合のみならずバス利用の場合等も含まれる。
【００４４】
次いで、ＳＴ７へ進む。ＳＴ７では、ディスプレイ１１に「旅行を開始するか否か」表示され、利用者が「情報入力装置１２」を操作して、「ＹＥＳ」を入力すると、図９のＳＴ８へ進む。
ここで、疑似旅行が開始される。
【００４５】
ＳＴ８では、図３の「旅行予定日程実行部（プログラム）２６」が動作し、図３の「時期的ニュース情報記憶部４１」から当該時期の時期的ニュース情報（東京オリンピックのニュース等の映像及び音声）をディスプレイ１１のサブウインドウ及びスピーカーに出力する。
したがって、これを視認及び視聴した利用者は、当時の時代背景等を体感することができる。
【００４６】
なお、図４の「時期的ニュース情報記憶部４１」には、例えば、１８６０年１０月３１日、１８８０年１０月３１日、１９００年１０月３１日、１９３０年１０月３１日、１９５０年１０月３１日、１９６４年１０月３１日、１９８７年１０月３１日等の日本における出来事等のニュース情報等（映像及び音声等）が記憶されている。
【００４７】
また、ＳＴ８では、疑似旅行の出発点、例えば、「東京（江戸）」が矢印等で表示される共に、図３の「時期別地域別気象情報記憶部４２」を参照し、当該「出発点（東京）」の１９６４年１０月３１日の「時期的地域気象情報（映像及び音声等）」を取得し、ディスプレイ１１やスピーカーに出力する。
したがって、１９６４年１０月３１日の気候を体感することができる。
【００４８】
なお、図４の「時期別地域別気象情報記憶部４２」には、１８６０年１０月３１日、１８８０年１０月３１日、１９００年１０月３１日、１９３０年１０月３１日、１９５０年１０月３１日、１９６４年１０月３１日、１９８７年１０月３１日等の各地域の気象情報（例えば、天気図及び音声等）が記憶されている。
【００４９】
また、ＳＴ８では、「出発点」が鉄道の駅、例えば、「東京駅」の場合は、図４の「時期別駅別駅舎及び駅弁情報記憶部４３」を参照し、「出発点（東京駅）」の「時期別駅別駅舎及び駅弁情報」、例えば、１９６４年１０月３１日の東京駅の駅舎写真及び、その当時、東京駅で販売されている主な駅弁の写真情報等が、ディスプレイ１１のサブウインドウに表示される。
【００５０】
なお、「出発点」が駅でない場合は、その当時の地域の写真等がディスプレイ１１のサブウインドウに表示される。この情報は、図３の「時期別地域別観光情報記憶部４４」から提供される。
【００５１】
このように、利用者は、疑似旅行の出発点における１９６４年当時の風景や弁当等を視覚的に体感することができる。
なお、「時期別駅別駅舎及び駅弁情報記憶部４３」には、１８８０年１０月３１日、１９００年１０月３１日、１９３０年１０月３１日、１９５０年１０月３１日、１９６４年１０月３１日、１９８７年１０月３１日等の駅舎及び駅弁情報（駅舎及び駅弁の写真等）が記憶されている。
【００５２】
また、「時期別地域別観光情報記憶部４４」には、１８６０年１０月３１日、１８８０年１０月３１日、１９００年１０月３１日、１９３０年１０月３１日、１９５０年１０月３１日、１９６４年１０月３１日、１９８７年１０月３１日等の各地域の観光情報（例えば、東京の景観写真等の映像及び音声等）等が記憶されている。
【００５３】
このように、「東京」が「特定地域情報」の一例であり、１９６４年１０月３１日の東京の写真が、「特定地域画像情報」の一例である。また、「東京駅」が「駅情報」の一例であり、東京駅の駅舎写真が「駅画像情報」の一例である。
【００５４】
次いで、ＳＴ９へ進む。ＳＴ９では、「記念撮影をするか否かが」ディスプレイ１１に表示される。ここでは、出発点である「東京駅」又は「東京」における記念撮影をするか否かが問われる。
ＳＴ９で、利用者が記念撮影をする旨の入力をすると、ＳＴ１０へ進む。ＳＴ１０では、「当該時期（１９６４年１０月３１日）の衣装での記念撮影及び／又は当該時期の登場人物を交えて記念撮影をするか否かが」ディスプレイ１１に表示される。
【００５５】
ＳＴ１０で、「ＮＯ」を選択した場合は、ＳＴ１１へ進む。ＳＴ１１では、図３の「記念写真等合成処理部（プログラム）６１」が動作し、「参加者映像等情報記憶部４５」から参加者の画像情報（「使用者画像情報」の一例）を取得し、この画像情報を東京駅の写真等と合成することで「記念写真等情報」を生成し、図５の「記念写真等情報記憶部６２」に記憶する。
すなわち、利用者（参加者）の写真等は、予め「参加者映像等情報記憶部４５」に記憶されており、この参加者の写真が、図３の「時期別駅別駅舎及び駅弁情報記憶部４３」の１９６４年１０月３１日の東京駅の駅舎の写真等と合成され、「記念写真情報」となる。
なお、出発点が鉄道の駅でない場合は、この写真の合成は、図４の「時期別地域別観光情報記憶部４４」の東京の景観写真等となる。
【００５６】
このように本実施の形態では，実際に現地に旅行したと同様のリアルな「記念写真」と取得することができる。
【００５７】
一方、ＳＴ１０で、「ＹＥＳ」を選択した場合は、ＳＴ１２へ進む。この場合は、利用差（参加者）が当時（１９６４年１０月３１日）の衣装で記念撮影をするか、若しくは当該時期（１９６４年１０月３１日）の登場人物（例えば、マラソンの選手等）を交えて記念撮影することが選択できる。また、これら双方を実行することもできる。
【００５８】
ＳＴ１２では、図５の「記念写真等合成処理部（プログラム）６１」が動作し、図４の「参加者映像等情報記憶部４５」から参加者の画像情報を取得し、また、図４の「時期別衣装及び登場人物等情報記憶部４６」の情報を参照して、記念写真等情報を生成し、「記念写真等情報記憶部６２」に記憶する。
具体的には、図４の「時期別衣装及び登場人物等情報記憶部４６」には、１８６０年１０月３１日、１８８０年１０月３１日、１９００年１０月３１日、１９３０年１０月３１日、１９５０年１０月３１日、１９６４年１０月３１日、１９８７年１０月３１日等における衣装及び活躍した人物（例えば、マラソン選手）等（「時代人物情報」の一例）の情報が記憶されている。
【００５９】
このため、ここから１９６４年１０月３１日の衣装情報を取得し、この衣装と「参加者映像等情報記憶部４５」の参加者の写真を合成すると共に、マラソン選手等の登場人物（活躍した人物）と合成し、さらに、この情報を東京駅の写真等と合成することで、１９６４年１０月３１日、東京駅で、マラソン選手と記念撮影したという「記念写真」の情報を生成することができる。
なお、出発点が鉄道の駅でない場合は、この写真の合成は、図４の「時期別地域別観光情報記憶部４４」の東京の景観写真等となる。
したがって、臨場感のあるリアルな記念撮影が可能となる。
【００６０】
その後は、選択された「既定旅行日程情報（例えば、奥の細道ルート）」に従い、次の目的地（例えば、仙台市等）に向かう。
次いで、ＳＴ１３へ進む。ＳＴ１３では、「旅行予定日程実行部（プログラム）２４」が動作し、次の目的地（例えば、仙台）を表示する。
そして、「時期別地域別観光情報記憶部４４」及び「時期別地域別気象情報記憶部４２」を参照して、次の目的地（例えば、仙台）の「時期別地域別観光情報（例えば、１９６３年１０月３１日の仙台市の景観等の写真等）」及び「時期別地域別気象情報（例えば、１９６４年１０月３１日の仙台市の天気等）」をディスプレイ１１のサブウインドウに表示する。
【００６１】
このとき、次の目的地が鉄道の駅（例えば、仙台駅）のときは、「時期別駅別駅舎及び駅弁情報記憶部４３」を参照し、「次の目的地（仙台駅）」の「時期別駅別駅舎及び駅弁情報（１９６４年１０月３１日の仙台駅の駅舎写真及びその当時、仙台駅で販売されている主な駅弁の写真情報」もディスプレイ１１のサブウインドウに表示される。
したがって、利用者は、１９６４年に実際に旅行をしたと同様の体感を味わうことができる。
【００６２】
次いで、ＳＴ１４へ進む。ＳＴ１４では、図９のＳＴ９と同様に、利用者に「記念撮影」をするか否かを問う旨の表示をし、次いで、ＳＴ１５では、ＳＴ１０と同様に「当該時期の衣装での記念撮影及び／又は当該時期の登場人物を交えて記念撮影」をするか否かを問う。
そして、「ＮＯ」の場合は、ＳＴ１６へ進む。ＳＴ１６は、ＳＴ１１と同様に、予め「参加者映像等情報記憶部４５」に記憶されている利用者（参加者）の写真等が、図４の「時期別駅別駅舎及び駅弁情報記憶部４３」の１９６４年１０月３１日の仙台駅の駅舎の写真等や、「時期別地域別観光情報記憶部４４」の仙台の景観写真等と合成され、「記念写真等情報」となり、図５の「記念写真等情報記憶部６２」に記憶される。
したがって、利用者は、目的地（仙台等）における、所望の時代の記念写真を取得することができる。
【００６３】
一方、ＳＴ１５で、「ＹＥＳ」を選択したときは、ＳＴ１７へ進む。ＳＴ１７は、図９のＳＴ１２と同様に、図５の「記念写真等合成処理部（プログラム）６１」が動作し、図４の「参加者映像等情報記憶部４５」から参加者の画像情報を取得し、また、図４の「時期別衣装及び登場人物等情報記憶部４６」や「時期別地域別観光情報記憶部４４」の情報を参照して、記念写真等情報を生成し、「記念写真等情報記憶部６２」に記憶する。
【００６４】
このため、例えば、１９６４年１０月３１日の衣装情報を取得し、この衣装と「参加者映像等情報記憶部４５」の参加者の写真を合成すると共に、仙台の活躍した人物（登場人物）と合成し、さらに、この情報を仙台駅や仙台の写真等と合成することで、１９６４年１０月３１日、仙台駅等で、仙台の活躍した人物と記念撮影したという「記念写真」の情報を生成することができる。そして、この「記念写真」の情報は、図５の「記念写真等情報記憶部６２」に記憶される。
したがって、臨場感のある極めてリアルな記念撮影と、その記憶が可能となる。
【００６５】
次いで、ＳＴ１８へ進む。ＳＴ１８では、次の目的地があるか否かを判断する。
具体的には、図３の「旅行予定日程情報記憶部２５」の「利用者用の旅行日程情報」を参照して、判断し、次の目的地があるときは、図９のＳＴ１３から図１０のＳ１７等が繰り返され、疑似旅行が実行される。
【００６６】
一方、ＳＴ１８で、次の目的地がない、すなわち、当該「利用者用の旅行日程情報」の全日程が終了すると、ＳＴ１９へ進む。
ＳＴ１９では、「別登録個人写真」を含めて「旅行アルバム」を作成するか否かをディスプレイ１１に表示し、利用者に選択させる。
すなわち、疑似旅行体験装置１０は、図５に示すように、利用者が過去に旅行等で撮影した写真等の情報を記憶する「別登録個人写真情報記憶部６７」を有している。
したがって、ＳＴ１９では、かかる利用者の思い出写真等を含めて、旅行アルバムを作成するか否かが問われることになる。
【００６７】
ＳＴ１９で、利用者が「別登録個人写真」を含めて「旅行アルバム」を作成すると選択した場合は、ＳＴ２０へ進む。ＳＴ２０では、「旅行アルバム作成処理部（プログラム）６３」が動作し、「記念写真等情報」及び「別登録個人写真情報」から「旅行アルバム情報」を作成し、「旅行アルバム情報記憶部６４」に記憶させる。
これで、今回の疑似旅行体験に「過去の旅行体験」を含めることができ、利用者は、過去の思い出と共に、「旅行アルバム」を見ることができる。
【００６８】
一方、ＳＴ１９で、利用者が「別登録個人写真」を含めて「旅行アルバム」を作成することを選択しなかったときは、ＳＴ２１へ進む。ＳＴ２１では、図５の「旅行アルバム作成処理部（プログラム）６３」が動作し、図５の「記念写真等情報記憶部６２」に蓄積された記念写真等情報から「旅行アルバム情報」を作成し、図５の「旅行アルバム情報記憶部６４」に記憶する。
すなわち、当該「利用者用の旅行日程情報」に沿った旅行の日程に合わせた、疑似旅行を振り返ることができる「旅行アルバム情報」が生成される。
したがって、利用者は、疑似旅行終了後、このアルバムを視認することで、この疑似旅行を振り返ることができる。
【００６９】
なお、この当該「利用者用の旅行日程情報」に即した疑似旅行の記録は、旅行アルバムに記載されていない部分も含め記憶されているので、当該疑似旅行を異なる視点（旅行の経路を地図上に表示する等）で利用者に示すことができる。
【００７０】
ところで、図８のＳＴ５で、「ＮＯ」の場合は、図１２のＳＴ２２へ進む。
この場合は、「奥の細道ルート等」の既定旅行日程を利用せず、利用者が自ら一定を作成するため、ＳＴ２２以下の工程を経る。
ＳＴ２２では、「新規旅行予定日程実行部（プログラム）６５」が動作し、ディスプレイ１１に「出発点を入力してください」と表示される。
これに対し、利用者は、例えば、ディスプレイ１１に表示された、地図（利用者が選択した時代の時期的地図情報）に触れることで特定する。
【００７１】
次いで、ＳＴ２３へ進む。ＳＴ２３では、地図上の「出発点」が特定されたか否かを判断し、特定されたときは、ＳＴ２４へ進む。ＳＴ２４では、「新規旅行日程実行部（プログラム）６５」が動作し、「時期的ニュース情報記憶部４１」から、当該時期（１９６４年１０月３１日）の時期的ニュース情報（東京オリンピックのニュース等の映像及び音声等）をディスプレイ１１のサブウインドウ及びスピーカーに出力する。
また、図４の「時期別地域別気象情報記憶部４２」を参照し、「出発点」の「時期的地域気象情報（天気図及び音声等）」を表示する。
【００７２】
次いで、ＳＴ２５へ進む。ＳＴ２５では、ＳＴ２２で特定された「出発点」が「鉄道の駅」であるか否かを判断する。
すなわち、利用者が地図上の駅を特定し、鉄道での疑似旅行を意図しているか否かを判断する。
【００７３】
ＳＴ２５で「鉄道の駅」を特定したと判断されたときは、ＳＴ２６へ進む。ＳＴ２６では、「新規旅行日程実行部（プログラム）６５」が動作し、「時期別時刻表情報記憶部６６」を参照し、当該時期（１９６４年１０月３１日）及び当該駅（例えば、東京駅）の時刻表情報である「時期別時刻表情報」をディスプレイ１１のサブウインドウに表示する。
【００７４】
なお、図５の「時期別時刻表情報記憶部６６」には、１８８０年１０月３１日、１９００年１０月３１日、１９３０年１０月３１日、１９５０年１０月３１日、１９６４年１０月３１日、１９８７年１０月３１日等の鉄道路線毎の時刻表情報等が記憶されている。
したがって、利用者はこの時刻表情報を利用して、次の目的地等を選択することができる。
【００７５】
また、図４の「時期別駅別駅舎及び駅弁情報記憶部４３」を参照し、「出発点（例えば、東京駅）」の「時期別駅別駅舎及び駅弁情報」例えば、１９６４年１０月３１日の東京駅の駅舎写真及び、その当時、東京駅で販売されている主な駅弁の写真情報等がディスプレイ１１のサブウインドウに表示される。
したがって、利用者は旅行気分を満喫することができる。
また、これら「時期別時刻表情報記憶部６６」の「時期別時刻表情報」及び「時期別地図情報記憶部２２」の「時期別地図情報」が、「時代別鉄道施設情報」の一例となっている。
【００７６】
一方、ＳＴ２５で、特定された「出発点」が鉄道の駅ではないときは、ＳＴ２７へ進む。ＳＴ２７では、図４の「時期別地域別観光情報記憶部４４」を参照し、当該「出発点」、例えば、東京の時期別地域別観光情報である景観写真等の映像や音声等を取得し、ディスプレイ１１のサブウインドウやスピーカーに出力させる。
【００７７】
次いで、ＳＴ２８へ進む。ＳＴ２８では、図９のＳＴ９と同様に、利用者に「記念撮影」をするか否かを問う旨の表示をし、次いで、ＳＴ２９では、ＳＴ１０と同様に「当該時期の衣装での記念撮影及び／又は当該時期の登場人物を交えて記念撮影」をするか否かを問う。
【００７８】
そして、「ＮＯ」の場合は、ＳＴ３０へ進む。ＳＴ３０は、ＳＴ１１と同様に、予め「参加者映像等情報記憶部４５」に記憶されている利用者（参加者）の写真等が、図４の「時期別駅別駅舎及び駅弁情報記憶部４３」の１９６４年１０月３１日の東京駅の駅舎の写真等や、「時期別地域別観光情報記憶部４４」の東京の景観写真等と合成され、「記念写真等情報」となり、図５の「記念写真等情報記憶部６２」に記憶される。
したがって、利用者は、出発点（東京等）における、所望の時代の記念写真を取得することができる。
【００７９】
一方、ＳＴ２９で、「ＹＥＳ」を選択したときは、ＳＴ３１へ進む。ＳＴ３１は、図９のＳＴ１２と同様に、図５の「記念写真等合成処理部（プログラム）６１」が動作し、図４の「参加者映像等情報記憶部４５」から参加者の画像情報を取得し、また、図４の「時期別衣装及び登場人物等情報記憶部４６」や「時期別地域別観光情報記憶部４４」の情報を参照して、記念写真等情報を生成し、「記念写真等情報記憶部６２」に記憶する。
【００８０】
このため、例えば、１９６４年１０月３１日の衣装情報を取得し、この衣装と「参加者映像等情報記憶部４５」の参加者の写真を合成すると共に、東京で活躍した人物（登場人物）、例えば、マラソン選手と合成し、さらに、この情報を東京駅や東京の景観写真等と合成することで、１９６４年１０月３１日、東京駅等で、マラソン選手と記念撮影したという「記念写真」の情報を生成することができる。そして、この「記念写真」の情報は、図５の「記念写真等情報記憶部６２」に記憶される。
したがって、臨場感のある極めてリアルな記念撮影と、その記憶が可能となる。
【００８１】
次いで、ＳＴ３２へ進む。ＳＴ３２では、「新規旅行予定日程実行部（プログラム）６６」が動作し、ディスプレイ１１に「次の目的地を入力してください」と表示される。これに対して、利用者は、例えば、ディスプレイ１１上の地図をタッチ等して次の目的地を特定する。
【００８２】
次いで、ＳＴ３３に進み、次の目的地が特定されたか否かを判断し、特定されたときは、ＳＴ３４へ進む。
ＳＴ３４では、「新規旅行日程実行部（プログラム）６５」が動作し、次の目的地を地図上の矢印で示す。
【００８３】
そして、図４の「時期別地域別観光情報記憶部４４」及び「時期別地域別気象情報記憶部４２」を参照して、次の目的地（例えば、仙台）の「時期別地域別観光情報（１９６４年１０月３１日の仙台の景観写真等の映像及び音声等）」及び「時期別地域別気象情報（１９６４年１０月３１日の仙台の天気図及び音声等）」をディスプレイ１１のサブウインドウに表示する。
したがって、利用者はこれらの情報を視聴しながら楽しく疑似旅行日程をたてることができる。
【００８４】
次いで、ＳＴ３５へ進む、ＳＴ３５では、ＳＴ３３で特定された「次の目的地」が「鉄道の駅」であるか否かを判断する。
すなわち、利用者が地図上の駅を特定し、鉄道での疑似旅行を意図しているか否かを判断する。
【００８５】
ＳＴ３５で、次の目的地が「鉄道の駅」であると判断されたときは、ＳＴ３６へ進む。ＳＴ３６では、「新規旅行日程実行部（プログラム）６５」が動作し、「時期別時刻表情報記憶部６６」を参照し、当該時期（１９６４年１０月３１日）及び当該駅（例えば、仙台駅）の「時期別時刻表情報」をディスプレイ１１のサブウインドウに表示する。
【００８６】
また、図４の「時期別駅別駅舎及び駅弁情報記憶部４３」を参照し、「次の目的地（例えば、仙台駅）」の「時期別駅別駅舎及び駅弁情報」例えば、１９６４年１０月３１日の仙台駅の駅舎写真及び、その当時、仙台駅で販売されている主な駅弁の写真情報等がディスプレイ１１のサブウインドウに表示される。
【００８７】
一方、ＳＴ３５で、特定された「次の目的地」が鉄道の駅ではないときは、ＳＴ３７へ進む。ＳＴ３７では、図４の「時期別地域別観光情報記憶部４４」を参照し、当該「次の目的地」、例えば、仙台の時期別地域別観光情報である景観写真等の映像及び音声を取得し、ディスプレイ１１のサブウインドウ及びスピーカーに出力させる。
【００８８】
次いで、ＳＴ３８へ進む。ＳＴ３８では、図９のＳＴ９と同様に、利用者に「記念撮影」をするか否かを問う旨の表示をし、次いで、ＳＴ３９では、ＳＴ１０と同様に「当該時期の衣装での記念撮影及び／又は当該時期の登場人物を交えて記念撮影」をするか否かを問う。
【００８９】
そして、「ＮＯ」の場合は、ＳＴ４０へ進む。ＳＴ４０は、ＳＴ１１と同様に、予め「参加者映像等情報記憶部４５」に記憶されている利用者（参加者）の写真等が、図４の「時期別駅別駅舎及び駅弁情報記憶部４３」の１９６４年１０月３１日の仙台駅の駅舎の写真等や、「時期別地域別観光情報記憶部４４」の仙台の景観写真等と合成され、「記念写真等情報」となり、図５の「記念写真等情報記憶部６２」に記憶される。
したがって、利用者は、目的地（仙台等）における、所望の時代の記念写真を取得することができる。
【００９０】
一方、ＳＴ３９で、「ＹＥＳ」を選択したときは、ＳＴ４１へ進む。ＳＴ４１は、図９のＳＴ１２と同様に、図５の「記念写真等合成処理部（プログラム）６１」が動作し、図４の「参加者映像等情報記憶部４５」から参加者の画像情報を取得し、また、図４の「時期別衣装及び登場人物等情報記憶部４６」や「時期別地域別観光情報記憶部４４」の情報を参照して、記念写真等情報を生成し、「記念写真等情報記憶部６２」に記憶する。
【００９１】
このため、例えば、１９６４年１０月３１日の衣装情報を取得し、この衣装と「参加者映像等情報記憶部４５」の参加者の写真を合成すると共に、仙台で活躍した人物（登場人物）と合成し、さらに、この情報を仙台駅又は仙台の景観写真等と合成することで、１９６４年１０月３１日、仙台駅等で、仙台で活躍した人物と記念撮影したという「記念写真」の情報を生成することができる。そして、この「記念写真」の情報は、図５の「記念写真等情報記憶部６２」に記憶される。
したがって、臨場感のある極めてリアルな記念撮影と、その記憶が可能となる。
【００９２】
次いで、ＳＴ４２へ進む。ＳＴ４２では、利用者によって、次の目的地が特定されたか否かを判断する。
具体的には、一定の時間、次の目的地の入力がない場合、入力終了の信号が図１の情報入力装置１２から入力された場合である。
【００９３】
一方、ＳＴ４２で、次の目的地がない、すなわち、当該「利用者用の旅行日程情報」の全日程が終了すると、ＳＴ４３へ進む。
ＳＴ４３では、ＳＴ１９と同様に「別登録個人写真」を含めて「旅行アルバム」を作成するか否かをディスプレイ１１に表示し、利用者に選択させる。
したがって、ＳＴ４３では、利用者の思い出写真等を含めて、旅行アルバムを作成するか否かが問われることになる。
【００９４】
ＳＴ４３で、利用者が「別登録個人写真」を含めて「旅行アルバム」を作成すると選択した場合は、ＳＴ４４へ進む。ＳＴ４４では、ＳＴ２０と同様に、「旅行アルバム作成処理部（プログラム）６３」が動作し、「記念写真等情報」及び「別登録個人写真情報」から「旅行アルバム情報」を作成し、「旅行アルバム情報記憶部６４」に記憶させる。
したがって、今回の疑似旅行体験に「過去の旅行体験」を含めることができ、利用者は、過去の思い出と共に、「旅行アルバム」を見ることができる。
【００９５】
一方、ＳＴ４３で、利用者が「別登録個人写真」を含めて「旅行アルバム」を作成することを選択しなかったときは、ＳＴ４５へ進む。ＳＴ４５では、図５の「旅行アルバム作成処理部（プログラム）６３」が動作し、図５の「記念写真等情報記憶部６２」に蓄積された記念写真等情報から「旅行アルバム情報」を作成し、図５の「旅行アルバム情報記憶部６４」に記憶する。
【００９６】
すなわち、当該利用者の入力により旅行日程情報に沿った疑似旅行を振り返ることができる「旅行アルバム情報」が生成される。
したがって、利用者は、疑似旅行終了後、このアルバムを視認することで、この疑似旅行を振り返ることができる。
【００９７】
なお、この当該「利用者用の旅行日程情報」に即した疑似旅行の記録は、旅行アルバムに記載されていない部分も含め記憶されているので、当該疑似旅行を異なる視点（旅行の経路を地図上に表示する等）で利用者に示すことができる。
【００９８】
このように本実施の形態によれば、例えば、使用者が選択等した過去の特定時期における疑似旅行の旅行日程情報をディスプレイ１１に自由に表示させ、旅行日程情報を生成し、かつ、当該旅行を疑似体験することができる。
また、使用者は、旅行先である目的地の地域の景観等や駅舎の画像等の駅画像情報を併せてディスプレイ１１に表示することができるので、旅行をより現実的に感じられる構成となっている。
本発明は、上述の各実施の形態に限定されない。
【符号の説明】
【００９９】
１０・・・疑似旅行体験装置、１１・・・ディスプレイ、１２・・・情報入力装置、１３・・・制御部、１５・・・第１の情報記憶部、１６・・・旅行日程表作成部（プログラム）、１７・・・旅行日程表作成用地図情報記憶部、１８・・・現在時刻表情報記憶部、１９・・・個別旅行日程表記憶部、２０・・・第２の情報記憶部、２１・・・選択可能時期情報記憶部、２２・・・時期別地図情報記憶部、２３・・・既定旅行日程情報記憶部、２４・・・旅行予定日程情報作成部（プログラム）、２５・・・旅行予定日程情報記憶部、２６・・・旅行予定日程実行部（プログラム）、４０・・・第３の情報記憶部、４１・・・時期的ニュース情報記憶部、４２・・・時期別地域別気象情報記憶部、４３・・・時期別駅別駅舎及び駅弁情報記憶部、４４・・・時期別地域別観光情報記憶部、４５・・・参加者映像等情報記憶部、４６・・・時期別衣装及び登場人物等情報記憶部、６０・・・第４の情報記憶部、６１・・・記念写真等合成処理部（プログラム）、６２・・・記念写真等情報記憶部、６３・・・旅行アルバム作成処理部（プログラム）、６４・・・旅行アルバム情報記憶部、６５・・・新規旅行予定日程実行部（プログラム）、６６・・・時期別時刻表情報記憶部
【要約】
【課題】現在のみならず過去等における旅行等も容易に疑似体験をすることができる疑似旅行体験プログラム、疑似旅行体験装置及び疑似旅行体験方法を提供すること。
【解決手段】コンピュータに、時代情報が特定されることで表示部１１に示された時代別地理情報２２の特定地域情報及び／又は時代別鉄道施設情報２２の駅情報に基づき、当該旅行日程情報を生成すると共に、当該旅行日程情報に関連する特定地域画像情報４４及び／又は駅画像情報４３を表示部に表示する工程を、を実行させる疑似旅行体験プログラム。
【選択図】  図５【図１】
0005584324.tif 000002
【図２】
0005584324.tif 000003
【図３】
0005584324.tif 000004
【図４】
0005584324.tif 000005
【図５】
0005584324.tif 000006
【図６】
0005584324.tif 000007
【図７】
0005584324.tif 000008
【図８】
0005584324.tif 000009
【図９】
0005584324.tif 000010
【図１０】
0005584324.tif 000011
【図１１】
0005584324.tif 000012
【図１２】
0005584324.tif 000013
【図１３】
0005584324.tif 000014
【図１４】
0005584324.tif 000015
【図１５】
0005584324.tif 000016